(57)【要約】【課題】方角の縁起を気にする人に安心感を与えることができ、個別納骨にするか共同納骨にするか納骨方式を選択することができ、地域の慣習に合わせて地上納骨と地下納骨のいずれにも対応でき、故人が昇天して安らかに成仏できそうな安心感を拝客に与えることができる合祀塔を提供する。【解決手段】納骨室１３が内蔵された埋葬室１０と、この埋葬室１０の上面に、水平面内で回転自在に設けられた回転体３０とから構成されており、この回転体３０が、その周縁部に、故人の戒名３２が刻まれるものである。回転体３０を回転させることにより、戒名３２が向いている面を、東西南北のあらゆる方角に向けることができる。よって、方角の縁起を気にする人に、安心感を与えることができる。しかも、方角の縁起を気にせず、新たな戒名３２を刻む場所を簡単に決めることができる。【選択図】　　　　図１
2004100164.tif 000002
【特許請求の範囲】
【請求項１】
複数の納骨室が内蔵された埋葬室と、
該埋葬室の上面に、水平面内で回転自在に設けられた回転体とからなり、
該回転体が、その周縁部に、故人の戒名が刻まれるものである
ことを特徴とする合祀塔。
【請求項２】
複数の個別納骨用の納骨室が内蔵された埋葬室と、
該埋葬室の内側に設けられた共同納骨用の散骨場とからなる
ことを特徴とする合祀塔。
【請求項３】
前記埋葬室が地面より高い位置に設けられ、
前記散骨場が地面より低い位置に設けられた
ことを特徴とする請求項２記載の合祀塔。
【請求項４】
前記埋葬室の前面に、拝客場が設けられ、
該拝客場に正面を向けて、前記埋葬室の上方に記念碑が垂直に立てて設けられ、該記念碑が、前記回転体の回転によっても回転しない固定手段で、前記埋葬室に固定された
ことを特徴とする請求項１記載の合祀塔。
【発明の詳細な説明】
【０００１】
【発明の属する技術分野】
本発明は、合祀塔に関する。
【０００２】
【従来の技術】
合祀塔は、複数の故人を埋葬するための建物であり、建物の内壁に沿って骨壷を納骨するための納骨室が多数内蔵されている。各納骨室の前扉には、故人を識別するために戒名が刻まれている。合祀塔の中に入った拝客は、拝むべき故人の戒名が刻まれた納骨室の前で拝むことができる。
他方、合祀塔には、故人毎に納骨室が設けられておらず、複数の故人の骨壷を同一の散骨場に納める共同納骨のタイプのものがある。
【０００３】
【発明が解決しようとする課題】
しかるに、従来の合祀塔には、以下の（ｉ）〜（ｉｖ）の問題がある。
（ｉ）方角の縁起を気にする人は、納骨室の戒名が悪い方向に向いてしまう場合、当該納骨室は縁起が悪いと考える傾向にあり、戒名が悪い方向に向いた納骨室は、敬遠されることがある。
（ｉｉ）従来の合祀塔には、個別納骨タイプのものおよび共同納骨タイプのものはあったが、いずれかの納骨方式を選択できるものはなかった。このため、納骨方式に応じて構造が違う合祀塔が必要である。
（ｉｉｉ）同じ宗派であっても、慣習の違いによって地面より高い位置に骨壷を納骨する地上納骨の地域と、地面より低い位置に骨壷を納骨する地下納骨する地域がある。このため、地域に応じて構造が違う合祀塔が必要である。
（ｉｖ）拝客は納骨室の前で拝むだけであるから、厳かではあるが、故人が昇天して安らかに成仏できそうな安心感を拝客に与えることができない。
【０００４】
本発明はかかる事情に鑑み、方角の縁起を気にする人に安心感を与えることができ、個別納骨にするか共同納骨にするか納骨方式を選択することができ、地域の慣習に合わせて地上納骨と地下納骨のいずれにも対応でき、故人が昇天して安らかに成仏できそうな安心感を拝客に与えることができる合祀塔を提供することを目的とする。
【０００５】
【課題を解決するための手段】
請求項１の合祀塔は、複数の納骨室が内蔵された埋葬室と、該埋葬室の上面に、水平面内で回転自在に設けられた回転体とからなり、該回転体が、その周縁部に、故人の戒名が刻まれるものであることを特徴とする。
請求項２の合祀塔は、複数の個別納骨用の納骨室が内蔵された埋葬室と、該埋葬室の内側に設けられた共同納骨用の散骨場とからなることを特徴とする。
請求項３の合祀塔は、請求項２記載の発明において、前記埋葬室が地面より高い位置に設けられ、前記散骨場が地面より低い位置に設けられたことを特徴とする。
請求項４の合祀塔は、請求項１記載の発明において、前記埋葬室の前面に、拝客場が設けられ、該拝客場に正面を向けて、前記埋葬室の上方に記念碑が垂直に立てて設けられ、該記念碑が、前記回転体の回転によっても回転しない固定手段で固定されたことを特徴とする。
【０００６】
請求項１の発明によれば、回転体を回転させることにより、戒名が向いている面を、東西南北のあらゆる方角に向けることができる。よって、方角の縁起を気にする人に、安心感を与えることができる。しかも、方角の縁起を気にせず、新たな戒名を刻む場所を簡単に決めることができる。
請求項２の発明によれば、納骨をする人は、納骨室に個別的に納骨するか、散骨場に他の人と一緒に共同納骨するかを選択することができ、多様化するユーザニーズに応えることができる。
請求項３の発明によれば、埋葬室に納骨することにより地上納骨することができ、散骨場に納骨することにより地下納骨もできるので、本合祀塔を設置する地域の慣習に合った方式で納骨をすることができる。よって、地域の慣習に合わせて地上納骨と地下納骨のいずれにも対応でき、種々の地域に本合祀塔を設置することができる。
請求項４の発明によれば、拝客は拝客場の前で垂直に立てられた記念碑を見ながら拝むことができるので、故人が天に向かって昇天して安らかに成仏できそうな安心感を拝客に与えることができる。しかも、回転体を埋葬室上で回転させても、記念碑は回転しないから、記念碑は正面を向いたまま、その向きを変えずに、回転体に刻まれた所望の戒名を拝客の正面に向けることができる。よって、拝客は、記念碑の正面を見ながら所望の戒名を自分の方に向けて拝むことができる。
【０００７】
【発明の実施の形態】
つぎに、本発明の実施形態を図面に基づき説明する。
図１、図２および図３は、本実施形態の合祀塔１の側面図、正面図および平面図である。図１〜図３に示すように、本実施形態の合祀塔１は、埋葬室１０、散骨場２０、回転体３０、記念碑４０、図示しない回転支持機構５０および拝客場７０から構成されたものである。
【０００８】
まず、埋葬室１０を説明する。
図４は図１のＩＶ−ＩＶ線断面図である。図５は図１のＶ−Ｖ線断面図である。図４〜図５に示すように、埋葬室１０は、いずれも石材製の側板１４、天板１５および床板１６で囲まれた建物である。埋葬室１０の背面における側板１４には、扉１１が開閉自在に取り付けられており、扉１１を開けて埋葬室１０に拝客等が出入することができる。
【０００９】
この埋葬室１０には、複数の納骨室１３が内蔵されている。これら納骨室１３は、埋葬室１０の内側壁に沿って、複数段・複数列で設けられている。各納骨室１３には前扉が取り付けられており、故人の骨壷を納骨室１３の中に納めることができる。埋葬室１０には、複数の納骨室１３が内蔵されているので、複数の故人の骨壷を納めることができるのである。
【００１０】
つぎに、散骨場２０を説明する。
前記埋葬室１０の内部における床材１６の下方には、コンクリート製の散骨用枠２１が設けられている。散骨用枠２１の中央部には、骨壷を納めるための大きな穴が散骨場２０として形成されている。このため、散骨場２０に多くの故人の骨を一緒に共同納骨することができる。
なお、前記床材１６の適所に開閉扉を取り付けておくと、開閉扉を開ければいつでも散骨場２０に共同納骨することができるので好適である。
【００１１】
上記のごとく、埋葬室１０には、個別納骨用の納骨室１３と、共同納骨用の散骨場２０とが設けられている。このため、納骨をする人は、納骨室３１に個別的に納骨するか、散骨場１１に他の人と一緒に共同納骨するか納骨方式を選択することができ、多様化するユーザニーズに応えることができる。
【００１２】
つぎに、拝客場７０を説明する。
前記埋葬室１０の前面には、拝客場７０が設けられている。拝客場７０には、石材製の床材７１が敷設されており、この床材７１の前方には、拝客用物置台７２が設けられている。符号７３，７４は、花立を示している。
拝客は、拝客場７０の上で、埋葬室１０に向かって拝むことができる。
【００１３】
つぎに、回転体３０を説明する。
図１および図４に示すように、埋葬室１０の天板１５の上面には、回転体３０が水平面内で回転自在に取り付けられている。この回転体３０は、円形の石板であり、その周縁部に、前記埋葬室１０に埋葬される故人の戒名３２が刻まれるものである。回転体３０と天板１５との間には、ベアリングが介装されているので、回転体３０をスムーズに回転させることができる。
このため、回転体３０を回転させることにより、戒名３２が向いている面を、東西南北のあらゆる方角に向けることができる。よって、方角の縁起を気にする人に、安心感を与えることができる。しかも、方角の縁起を気にせず、新たな戒名３２を刻む場所を簡単に決めることができる。
なお、回転体３０は、拝客が人手により直接回転させるようにしても、電動で回転させるようにしてもよい。
【００１４】
つぎに、記念碑４０を説明する。
前記回転体３０の上面には、置台４１が設けられている。この置台４１は、回転支持機構５０を介して、前記埋葬室１０に固定されている。この置台４１の上面には、記念碑本体４２が垂直に立てられて固定されている。記念碑本体４２は、例えば、観音像や阿弥陀如来像、地蔵菩薩像などの仏像、彫刻品、自然石が好適である。
このため、拝客は拝客場７０の前方に垂直に立てられた記念碑４０を見ながら拝むことができるので、故人が昇天して安らかに成仏できそうな安心感を拝客に与えることができる。
【００１５】
つぎに、回転支持機構５０を説明する。
前記天板１５、回転体３０および置台４１のそれぞれの中央部には、中空部分１５ｈ　、３１、４１ｈ　が形成されている。これら中空部分１５ｈ　、３１、４１ｈ　に回転支持機構５０が配設されている。
【００１６】
図６は回転支持機構５０の拡大図である。同図に示すように、支持軸５１が垂直に配設されており、その上端部は記念碑本体４２の下面中央部に接着剤等により固着されており、下端部は埋葬室１０の上面中央部に固着されている。この支持軸５１には、ころ軸受などの軸受５２が取り付けられている。軸受５２の外輪には、支持台５３が取り付けられている。この支持台５３の外周には、つば状の台座が形成されており、この台座によって回転体３０を支持することができる。支持台５３の上部内側において、シールド軸受等の軸受５４が前記支持軸５１に取り付けられている。
このため、回転支持機構５０によって天板１５と置台４１との間で、回転体３０を回転させることができ、しかも、回転体３０を回転させても、記念碑４０は回転しないのである。
なお、ベアリング５２の下面および支持台５３の上面を防水シールしておくことにより、回転支持機構５０を雨水から保護できるので好適である。
【００１７】
前記支持台５３の下端外周には、ギア５５が取り付けられている。このギア５５は、前記回転体３０とともに支持軸５１の軸廻りを回転するようになっており、このギア５５はギア５６と噛合わされている。ギア５５とギア５６により、減速機構が形成されており、回転体３０を回転させたとき、回転が止まらず暴走するのを防止することができる。
【００１８】
上記のごとき構成の本実施形態の合祀塔１によれば、以下の（１）〜（４）の作用効果を奏する。
（１）回転体３０を回転させることにより、戒名３２が向いている面を、東西南北のあらゆる方角に向けることができる。よって、方角の縁起を気にする人に、安心感を与えることができる。しかも、方角の縁起を気にせず、新たな戒名３２を刻む場所を簡単に決めることができる。
【００１９】
（２）埋葬室１０には、単独納骨用の納骨室３１だけでなく、複数納骨用の散骨場１１も設けられている。このため、納骨をする人は、納骨室３１に個別的に納骨するか、散骨場１１に他の人と一緒に共同納骨するかを選択することができ、多様化するユーザニーズに応えることができる。
【００２０】
（３）地上に埋葬室１０が設けられ、地下に散骨場１１が設けられている。
このため、埋葬室１０に納骨することにより地上納骨することができ、散骨場１１に納骨することにより地下納骨もできるので、本合祀塔１を設置する地域の慣習に合った方式で納骨をすることができる。よって、地域の慣習に合わせて地上納骨と地下納骨のいずれにも対応でき、種々の地域に本合祀塔１を設置することができる。
【００２１】
（４）拝客は拝客場７０の前で垂直に立てられた記念碑４０を見ながら拝むことができるので、故人が天に向かって昇天して安らかに成仏できそうな安心感を拝客に与えることができる。しかも、回転体３０を回転させても、記念碑４０は回転しないから、記念碑４０は正面を向いたまま、その向きを変えずに、回転体３０に刻まれた所望の戒名３２を正面に向けることができる。よって、拝客は、記念碑４０の正面を見ながら所望の戒名３２を自分の方に向けて拝むことができる。
【００２２】
【発明の効果】
請求項１の発明によれば、回転体を回転させることにより、戒名が向いている面を、東西南北のあらゆる方角に向けることができる。よって、方角の縁起を気にする人に、安心感を与えることができる。しかも、方角の縁起を気にせず、新たな戒名を刻む場所を簡単に決めることができる。
請求項２の発明によれば、納骨をする人は、納骨室に個別的に納骨するか、散骨場に他の人と一緒に共同納骨するかを選択することができ、多様化するユーザニーズに応えることができる。
請求項３の発明によれば、埋葬室に納骨することにより地上納骨することができ、散骨場に納骨することにより地下納骨もできるので、本合祀塔を設置する地域の慣習に合った方式で納骨をすることができる。よって、地域の慣習に合わせて地上納骨と地下納骨のいずれにも対応でき、種々の地域に本合祀塔を設置することができる。
請求項４の発明によれば、拝客は拝客場の前で垂直に立てられた記念碑を見ながら拝むことができるので、故人が天に向かって昇天して安らかに成仏できそうな安心感を拝客に与えることができる。しかも、回転体を埋葬室上で回転させても、記念碑は回転しないから、記念碑は正面を向いたまま、その向きを変えずに、回転体に刻まれた所望の戒名を拝客の正面に向けることができる。よって、拝客は、記念碑の正面を見ながら所望の戒名を自分の方に向けて拝むことができる。
【図面の簡単な説明】
【図１】本実施形態の合祀塔１の側面図である。
【図２】本実施形態の合祀塔１の正面図である。
【図３】本実施形態の合祀塔１の平面図である。
【図４】図１のＩＶ−ＩＶ線断面図である。
【図５】図１のＶ−Ｖ線断面図である。
【図６】回転支持機構５０の拡大図である。
【符号の説明】
１　　　合祀塔
１０　　埋葬室
１３　　納骨室
２０　　散骨場
３０　　回転体
３２　　戒名
４０　　記念碑
５０　　回転支持機構
７０　　拝客場
【図１】
2004100164.tif 000003
【図２】
2004100164.tif 000004
【図３】
2004100164.tif 000005
【図４】
2004100164.tif 000006
【図５】
2004100164.tif 000007
【図６】
2004100164.tif 000008